(57)【要約】【課題】カメラのアパーチャーサイズが変更された場合でも、ストロボ照射光の照射角を常に最適な値に調整できるカメラやストロボ装置の制御技術の提供。【解決手段】カメラ２に装着されたストロボ装置１は、ストロボ光の照射角を可変とする照射角可変手段８と、カメラ２から焦点距離情報とアパーチャーサイズ情報を入力する情報入力手段９と、焦点距離情報とアパーチャーサイズ情報とに基づいてストロボ光の照射角を制御する第１のモードと、他のストロボ装置の指令に基づいて発光を制御する第２のモードの動作が可能であり、第２のモード時は第１のモードを禁止してストロボ光の照射角を所定値に設定する制御手段とを具備する。【選択図】      図１
2005284096.tif 000002
【特許請求の範囲】
【請求項１】
ストロボ装置とカメラとを備えるカメラシステムであって、
前記カメラは、
前記ストロボ装置に対して撮影レンズの焦点距離情報とアパーチャーサイズ情報とを出力する情報出力手段を有し、
前記ストロボ装置は、
ストロボ光の照射角を可変とする照射角可変手段と、
前記カメラから前記焦点距離情報と前記アパーチャーサイズ情報を入力する情報入力手段と、
前記焦点距離情報と前記アパーチャーサイズ情報とに基づいて前記ストロボ光の照射角を制御する第１のモードと、他のストロボ装置の指令に基づいて発光を制御する第２のモードの動作が可能であり、前記第２のモード時は第１のモードを禁止して前記ストロボ光の照射角を所定値に設定する制御手段とを有することを特徴とするカメラシステム。
【請求項２】
カメラに装着可能なストロボ装置であって、
ストロボ光の照射角を可変とする照射角可変手段と、
カメラから前記焦点距離情報と前記アパーチャーサイズ情報を入力する情報入力手段と、
前記焦点距離情報と前記アパーチャーサイズ情報とに基づいて前記ストロボ光の照射角を制御する第１のモードと、他のストロボ装置の指令に基づいて発光を制御する第２のモードの動作が可能であり、前記第２のモード時は第１のモードを禁止して前記ストロボ光の照射角を所定値に設定する制御手段とを具備することを特徴とするストロボ装置。
【請求項３】
前記第２のモードに代えて節電モードを備え、前記制御手段は、前記節電モードにおいて前記焦点距離情報のみに基づいて前記ストロボ光の照射角を制御することを特徴とする請求項２に記載のストロボ装置。
【請求項４】
前記焦点距離情報を表示する表示手段を更に備えることを特徴とする請求項２又は３に記載のストロボ装置。
【発明の詳細な説明】
【技術分野】
【０００１】
本発明は、カメラに装着（内蔵）され、照射光の照射角を可変にする機能を有したストロボ装置に関するものである。
【背景技術】
【０００２】
従来のストロボ装置において、レンズの焦点距離、すなわち撮影画角に対応するように照射角を可変としたズームストロボが実用化されている。更には、カメラ側からストロボ装置に対して、装着されたレンズの焦点距離情報を出力し、その情報をもとにストロボ装置が照射角を最適な値に自動的に可変、設定するズームストロボも製品化されている。
【０００３】
ところで、レンズの焦点距離情報に基づいて照射角を最適な値に自動的に設定する場合に、そのストロボ装置が装着されたカメラのアパーチャーサイズが必ず一定のものであれば照射角を一義的に設定することができるが、そうでない場合、すなわちアパーチャーサイズが異なるカメラに装着し得るストロボ装置の場合には、単にレンズの焦点距離情報に基づいてのみ照射角を設定しようとしても最適な値に設定できなくなる。
【０００４】
ストロボ装置の照射角は撮影画角に応じて決められるべきものであるから、画面サイズが異なるカメラに装着し得るストロボ装置の場合には、レンズの焦点距離の情報にのみに基づいていたのでは照射角を最適な値には設定できない。
【０００５】
このため、レンズの焦点距離情報とカメラの画面サイズ情報とをカメラ側から出力し、これらの情報をもとにストロボの照射角の調整するものがある（例えば、特許文献１参照）。
【０００６】
また、フォーカルプレーンシャッターによる露光開始に同期して発光するストロボ装置にてスリット幅の領域で写される被写体の領域だけを照射するように、シャッタースリットの幅と走行する速度に対応させてストロボ発光部の移動と配光角を変更することによってストロボの全光量を有効利用しながら発光させる方法がある（例えば、特許文献２参照）。
【０００７】
また、レンズの焦点距離に応じてストロボ照射角を選択可能とし、撮影者が操作前に設定できるようにすることで撮影イメージをつかみやすくするといった方法もある（例えば、特許文献３参照）。
【０００８】
また、レンズの焦点距離情報が得られなかった場合、ストロボの照射角を強制的に広角側にすることで配光のケラレによる失敗写真を防ぐといった方法もある（例えば、特許文献４参照）。
【特許文献１】特開平8-6120号公報
【特許文献２】特開平5-313230号公報
【特許文献３】特開平6-11760号公報
【特許文献４】特開平5-11315号公報
【発明の開示】
【発明が解決しようとする課題】
【０００９】
しかしながら、上記特許文献１では、レンズの焦点情報と画像サイズ情報とをカメラからストロボ装置に送信して適正なストロボ配光角を設定するのであるが、ストロボ照射角の可変ステップ数が多くなるとストロボ装置内の演算処理による焦点距離と画像サイズから配光角に変換する過程が複雑になるといった欠点があった。
【００１０】
また、上記特許文献２では、演算係数をストロボ内に持たせて画像サイズから演算係数を割り出して演算しているが、フォーカルプレーンシャッターによる露光開始に同期して発光するストロボ装置によってスリット幅の領域で写される被写体の領域だけを照射するように、シャッタースリット幅と走行する速度とに対応させてストロボ発光部の移動と配光角の変更を行うので、機構が複雑になることや高速シャッター時の同期通信の追従性に問題があった。
【００１１】
また、上記特許文献３では、撮影者が操作前にストロボ照射角を設定することで撮影イメージを把握しやすくなるが、撮影者自身がマニュアルで配光角を変えなければならないといった煩わしさがあった。
【００１２】
また、上記特許文献４では、レンズの焦点距離情報が得られなかった場合、ストロボ光の照射角を強制的に広角側にすることで配光のケラレによる失敗写真を防ぐのであるが、アパーチャーサイズの違いによる照射角の変更は特に行っていない。
【００１３】
更に、最近では、複数のストロボ装置を被写体の周りに多灯として設置し、それら発光等をワイヤレス送信／受信によってコントロールするシステムがある。
【００１４】
上記システムは、例えば、カメラに装着されたストロボ装置をマスターストロボ、他のストロボ装置をスレーブストロボとして、マスターストロボからの送信信号でスレーブストロボの光量調整を行い、被写体に対して適切なストロボ撮影を行えるようにしたシステムである。上記スレーブストロボの照射角は被写体に光がよくあたるように広角側に設定することが望めましいため、スレーブモード時には広角側に自動設定される。
【００１５】
ところが、このマスターストロボをカメラから外してスレーブストロボとして使用する場合、前回の設定を解除できず、前回の照射角の設定が残っていることがある。このため、撮影者の意図する配光角に設定することができなかった。
【００１６】
本発明は、上記課題に鑑みてなされ、その目的は、照射光の照射角を常に最適な値に調整可能とすると共に、カメラ側の設定情報を的確に表示することのできるカメラ及びストロボ装置を提供することである。
【課題を解決するための手段】
【００１７】
上述の課題を解決し、目的を達成するために、本発明のカメラシステムは、ストロボ装置とカメラとを備えるカメラシステムであって、前記カメラは、前記ストロボ装置に対して撮影レンズの焦点距離情報とアパーチャーサイズ情報とを出力する情報出力手段を有し、前記ストロボ装置は、ストロボ光の照射角を可変とする照射角可変手段と、前記カメラから前記焦点距離情報と前記アパーチャーサイズ情報を入力する情報入力手段と、前記焦点距離情報と前記アパーチャーサイズ情報とに基づいて前記ストロボ光の照射角を制御する第１のモードと、他のストロボ装置の指令に基づいて発光を制御する第２のモードの動作が可能であり、前記第２のモード時は第１のモードを禁止して前記ストロボ光の照射角を所定値に設定する制御手段とを有する。
【００１８】
また、本発明のストロボ装置は、カメラに装着可能なストロボ装置であって、ストロボ光の照射角を可変とする照射角可変手段と、カメラから前記焦点距離情報と前記アパーチャーサイズ情報を入力する情報入力手段と、前記焦点距離情報と前記アパーチャーサイズ情報とに基づいて前記ストロボ光の照射角を制御する第１のモードと、他のストロボ装置の指令に基づいて発光を制御する第２のモードの動作が可能であり、前記第２のモード時は第１のモードを禁止して前記ストロボ光の照射角を所定値に設定する制御手段とを具備する。
【発明の効果】
【００１９】
以上説明したように、本発明によれば、カメラのアパーチャーサイズが変更された場合でも、ストロボ照射光の照射角を常に最適な値に調整できると共に、カメラ側の設定情報を的確に表示することのできる。
【発明を実施するための最良の形態】
【００２０】
以下に、添付図面を参照して本発明の実施の形態について詳細に説明する。
［第１の実施形態］
図１は、本発明に係る実施形態として適用したカメラシステム、カメラ、並びにカメラに装着されるストロボ装置の概略機構を示す図である。
【００２１】
図１において、１はストロボ装置、２はカメラ、３はレンズである。
【００２２】
ストロボ装置１は、カメラ２に対して着脱可能又は内蔵されている。ストロボ装置１内には、集光レンズ４、例えばキセノン管などによる発光素子５、不図示の電池の電圧を上記発光素子５の発光に必要な電圧レベルにまで昇圧する昇圧回路６、ＬＣＤ、ＬＥＤ等のストロボの設定状態を示す表示器７、上記集光レンズ４を移動させて照射光の照射角を移動させて変更させるための照射角調整用モータ（照射角可変手段）８、及び上記昇圧回路６、表示器（表示手段）７、及び照射角調整用モータ８等が接続され、これらを所定のプログラムに従って制御するストロボ制御用マイクロコンピュータ（以下、ＦＰＵ）９が備わっている。
【００２３】
ＦＰＵ（制御手段、情報入力手段）９は例えば、ＣＰＵ、ＲＯＭ、ＲＡＭ、入出力制御回路（Ｉ／Ｏコントロール回路）、マルチプレクサ、タイマ回路等を含むマイコン内蔵ワンチップＩＣ回路構成となっており、カメラシステムの制御をソフトウエアで行えるもので条件判断するものである。なお、これに後述のＥＥＰＲＯＭ１０を内蔵させてもよい。
【００２４】
１０はＦＰＵ９に接続されたＥＥＰＲＯＭ（電気的にデータを消去・書き込みできるＲＯＭ）である。このＥＥＰＲＯＭ１０にはストロボ動作に必要な設定情報が書き込まれる。これは電源をオフしても記憶している不揮発性メモリである。
【００２５】
上記カメラ２内には、ペンタプリズム１１、フォーカシングスクリーン１２、主ミラー１３、サブミラー１４を備える光学系や、露出制御用に被写体の輝度情報を得るための光電変換素子（ＳＰＤ）１５、ストロボ装置の発光量を制御するためにフィルム面１６の光量情報を得るための光電変換素子（ＳＰＤ）１７、サブミラー１４からの光束を入力されて被写体のデフォーカス情報を得るための測距用光電変換素子１８、及び当該測距用光電変換素子１８の各センサ素子とこれらのセンサ素子からの情報を入力されてカメラの各部のメカニズム（不図示）の動作等を所定のプログラムに従って制御するカメラ制御用マイクロコンピュータ（以下、ＣＣＰＵ）１９が備わっている。
【００２６】
レンズ３は、カメラ２に対して着脱可能又は固定されている。レンズ３内には、フォーカスレンズ群を駆動してピントの調整を行わせるためのフォーカスレンズ駆動用モータ２０、絞り駆動用モータ２１、ズーム操作がなされた場合にレンズの焦点距離を知るためのズームエンコーダ２２、及び、前述のフォーカスレンズ駆動用モータ２０と絞り駆動用モータ２１との動作を所定のプログラムに従って制御し、ズームエンコーダ２２からの情報が入力されるレンズ制御用マイクロコンピュータ（以下、ＬＰＵ）２３が備わっている。
【００２７】
尚、ＦＰＵ９とＣＣＰＵ（情報出力手段、判断手段）１９とＬＰＵ２３とは通信ラインＳＣによって結線されており、ＣＣＰＵ１９をホストとしてデータの交換やコマンドの伝達を相互に行う。
【００２８】
２４はスイッチ回路でＦＰＵ９に接続されてストロボ装置の各種設定を行う。詳細は図７に示す。２５はワイヤレス受光回路で、スイッチＷＳＬＳＷがワイヤレススレーブ設定の場合、別のストロボ装置から送られた送信信号を受信してＦＰＵ９が発光処理する。
【００２９】
図２は、ストロボ装置１に備えられた表示器７による表示内容を示す図である。
【００３０】
図２において、１０１はレンズの焦点距離情報をもとにストロボ装置１内で設定された照射角に対応した焦点距離情報を表示するための、例えば３桁の７セグメント群である。１０２はカメラのアパーチャーサイズ情報に基づいて点灯表示されるセグメントである。１０３はカメラ２より自動的にストロボズームを動作させる"ＡＵＴＯ"とストロボ単体でズーム位置を決めるマニュアルズームモードの"Ｍ"を表示させるセグメントである。１０５は連動距離表示を示すバーを表示させるセグメントである。１０６はレンズ３の絞り値を表示させるセグメントである。１０７はワイヤレスマスターモードのときに点灯する表示セグメントである。１０８はワイヤレススレーブモードのときに点灯する表示セグメントである。
【００３１】
図７はスイッチ回路２４の詳細図である。
【００３２】
スイッチ回路２４は、ＦＰＵ９に接続されており、例えば、レリーズスイッチの第１ストロークスイッチＳＷ１、レリーズスイッチの第２ストロークスイッチＳＷ２、ワイヤレスオフスイッチＷＳＷＯＦＦ、ワイヤレスマスターモードに設定するスイッチＷＭＳＷ、ワイヤレススレーブモードに設定するスイッチＷＳＬＳＷ、当該カメラのアパーチャーサイズ情報を入力し、上記焦点距離情報とアパーチャーサイズ情報とに基づいて照射角を設定する通常モードを解除するスイッチＳＷ３が設けられている。
【００３３】
これらの各スイッチをオンすることでＦＰＵ９は各種の設定があったと判断する。
【００３４】
図８はワイヤレス送受信のシステムを示した図であり、カメラに装着されたストロボ装置１をマスターストロボ、他のストロボ装置２００、ストロボ装置３００をスレーブストロボとして設置し、マスターストロボからの送信信号でスレーブストロボの光量調整を行い、被写体４００に対して適切なストロボ撮影を行えるように構成されている。
［カメラ制御］
次に、ＣＣＰＵ１９の具体的な動作について、図３及び図４のフローチャートに従って説明する。
【００３５】
不図示の電源スイッチがオンされてＣＣＰＵ１９が動作可能となると、ＣＣＰＵ１９は、図３のステップＳ１から所定の動作を開始する。
［ステップＳ１］  ＣＣＰＵ１９自身のメモリやポートの初期化を行う。
［ステップＳ２］  図７に示すレリーズスイッチの第１ストロークスイッチＳＷ１がオンされるのを待ち、その後第１ストロークスイッチＳＷ１がオンされると、ステップＳ３へ進む。
［ステップＳ３］  ＬＰＵ２３と通信ラインＳＣを介して通信を行い、レンズの焦点距離情報や測距、測光に必要な光学情報を取得する。
［ステップＳ４（判断手段）］  カメラ２に電子閃光装置であるストロボ装置１が装着されているかどうかをチェックし、カメラ２にストロボ装置１が装着されているならばステップＳ５に進み、未装着ならばステップＳ７へ進む。
［ステップＳ５（情報出力手段）］  ＦＰＵ９と通信ラインＳＣを介して通信を行い、上記ステップＳ３にて取得したレンズの焦点距離情報をＦＰＵ９に出力する。
［ステップＳ６（情報出力手段）］  ＦＰＵ９と通信ラインＳＣを介して通信を行い、ＣＣＰＵ１９自身のメモリ内に格納されているカメラのアパーチャーサイズ情報をＦＰＵ９に出力する。カメラのアパーチャーサイズ情報は、例えば、フィルムサイズの「１３５サイズ」（画面サイズが36×24mmのフォーマット）に対しての倍率データである。
［ステップＳ７］  測距用光電変換素子１８からの測距信号を入力して被写体のデフォーカス情報を取得する。
［ステップＳ８］  上記ステップＳ７にて得られた被写体のデフォーカス情報をもとにレンズの駆動量を算出して、これを通信ラインＳＣを介してＬＰＵ２３に出力し、フォーカスレンズの駆動を指令する。これにより、レンズは合焦状態になる。
［ステップＳ９］  被写体の輝度情報を得るために光電変換素子１５の測光出力を入力する。
［ステップＳ１０］  ＦＰＵ９が充電完了信号を出力しているかどうかをチェックする。ここで、ＦＰＵ９が充電完了信号を出力しているならばステップＳ１１へ進み、出力していないならばステップＳ１２へ進む。なお、このステップＳ１０におけるＦＰＵ９が充電完了信号を出力しているかどうかの判定結果は、後のステップで用いるので記憶しておく。
［ステップＳ１１］  ストロボ撮影を行うために適したシャッタ速度（Ｔｖ）と絞り値（Ａｖ）とを上記ステップＳ９にて得られた測光出力をもとに決定する。
［ステップＳ１２］  自然光撮影を行うために適したシャッタ速度（Ｔｖ）と絞り値（Ａｖ）とを上記ステップＳ９にて得られた測光出力をもとに決定する。
【００３６】
上記ステップＳ１１又はステップＳ１２の処理が実行されると、ステップＳ１３へ進む。
［ステップＳ１３］  図７に示すレリーズスイッチの第２ストロークスイッチＳＷ２がオンされているかどうかをチェックし、オフであるならばステップＳ２へ戻って上述したステップを繰り返す。一方、オンされていれば図４のステップＳ１４へ進む。
［ステップＳ１４］  不図示のモータを駆動して主ミラー１３、サブミラー１４をアップさせる。
［ステップＳ１５］  上記ステップＳ１１又はステップＳ１２にて決定された絞り値の情報を通信ラインＳＣを介してＬＰＵ２３に出力し、絞りの駆動を指令する。これにより、絞り込みの動作が行われる。
［ステップＳ１６］  シャッタの先幕を走行させる。これにより露光が開始される。
［ステップＳ１７］  上記ステップＳ１１又はステップＳ１２にて決定されたシャッタ速度の情報をもとにシャッタの開閉時間のカウントを開始する。
［ステップＳ１８］  上記ステップＳ１０にて記憶した判定結果により、ＦＰＵ９が充電完了信号を出力しているかどうかをチェックする。この結果、ＦＰＵ９が充電完了信号を出力しているならばステップＳ１９へ進む。なお、上記ステップＳ１８での判定結果が、ＦＰＵ９は充電完了信号を出力していないという場合には、ステップＳ１８からステップＳ２７へと進む。
［ステップＳ１９］  通信ラインＳＣを介して通信を行い、ストロボの発光開始用信号をＦＰＵ９に出力する。これにより、ストロボの発光が開始される。
［ステップＳ２０］  調光動作を行う。具体的には、フィルム面１６の光量情報を得るために光電変換素子１７の出力信号をモニタして、ストロボの発光量が十分なレベルに達したかどうかをチェックする。この結果、ストロボの発光量が十分なレベルに達していればステップＳ２１へと進む。
［ステップＳ２１］  通信ラインＳＣを介して通信を行い、ストロボの発光停止用信号をＦＰＵ９に出力する。これにより、ストロボの発光が停止される。尚、上記ステップＳ２０においてストロボの発光量が十分なレベルに達していなかった場合には、ステップＳ２１での処理は行わずにステップＳ２２へと進む。
［ステップＳ２２］  上記ステップＳ１７にて開始したシャッタの開閉時間のカウントが終了したかどうかをチェックし、時間のカウントが終了していればステップＳ２３に進むが、そうでなければステップＳ２０に戻り、上述したステップを繰り返す。
［ステップＳ２３］  シャッタの後幕を走行させる。これによって露光が終了する。
［ステップＳ２４］  通信ラインＳＣを介してＬＰＵ２３と通信して絞りを解放にするように指令する。
［ステップＳ２５］  不図示のモータを駆動して主ミラー１３、サブミラー１４をダウンさせるとともに、シャッタをチャージする。
［ステップＳ２６］  不図示のモータを駆動してフィルムの巻き上げを行う。
【００３７】
この後、図３のステップＳ１へ戻って上述したステップを繰り返す。
［ステップＳ２７］  上記ステップＳ１７にて開始したシャッタの開閉時間のカウントが終了したかどうかをチェックし、時間のカウントが終了しているならばステップＳ２３に進み、そうでなければカウントの終了を待つ。
【００３８】
以上の処理はフィルムを使ったカメラの動作であるが、フィルムの代わりに電子撮像素子（ＣＣＤ、ＣＭＯＳ）を使っても同様である。この場合、ステップＳ２６のモータによる巻き上げ動作の代わりに取り込み画像の処理を行うことになる。
［ストロボ制御］
続いて、ＦＰＵ９の具体的な動作について、図５のフローチャートに従って説明する。
【００３９】
不図示の電源スイッチがオンされてＦＰＵ９が動作可能となると、当該ＦＰＵ９はステップＳ１０１より所定の動作を開始する。
［ステップＳ１０１］  ＦＰＵ９自身のメモリやポートの初期化を行う。このとき、後述するように、ＣＣＰＵ１９から取得して自身のメモリ内に記憶するアパーチャーサイズ情報（倍率情報）とレンズの焦点距離情報とは、常用値、例えばアパーチャーサイズ情報として１３５サイズの１倍、レンズの焦点距離情報として５０ｍｍといった値をとりあえず記憶する。
［ステップＳ１０２］  昇圧回路６を動作開始させて発光の準備を行う。
［ステップＳ１０３（情報入力手段）］  ＣＣＰＵ１９から通信ラインＳＣを介して撮影レンズの焦点距離情報を取得したかどうかをチェックし、撮影レンズの焦点距離情報を取得していれば、ステップＳ１０４へ進む。
【００４０】
尚、上記ステップＳ１０３にて撮影レンズの焦点距離情報を取得していなかった場合には、ステップＳ１０４，１０５での処理は行わずにステップＳ１０６へ進む。
［ステップＳ１０４］  ＣＣＰＵ１９から送信された撮影レンズの焦点距離情報を自身のメモリ内に記憶する。また、これ以前に撮影レンズの焦点距離情報を自身のメモリ内に記憶していたならば、記憶内容を更新する。
［ステップＳ１０５（表示手段）］  自身のメモリ内に記憶された撮影レンズの焦点距離情報を表示器７に表示する。ここでは、図２の焦点距離情報１０１を表示する。このとき、照射角調整用モータ８は駆動しない（ズーム動作はしない）。
［ステップＳ１０６］  ＣＣＰＵ１９から通信ラインＳＣを介してカメラのアパーチャーサイズ情報（倍率情報）が送信されたかどうかをチェックする。カメラのアパーチャーサイズ情報（倍率情報）が送信されていれば、ステップＳ１２０へ進む。なお、上記ステップＳ１０６にてカメラの画面サイズ情報が送信されていなかった場合には、ステップＳ１２０、１０７、１０８での処理は行わずにステップＳ１０９へ進む。
［ステップＳ１２０（制御手段）］  ＦＰＵ９は、図７に示すスイッチＷＳＬＳＷがオンされてワイヤレススレーブモードが設定されているかどうか判断し、スイッチＷＳＬＳＷがオフの通常モード時はステップＳ１０７へ進み、スイッチＷＳＬＳＷがオンのワイヤレススレーブモード時はステップＳ１２１へ進む。
［ステップＳ１２１（制御手段）］  ワイヤレススレーブモード時のデフォルト焦点距離に相当するストロボ照射角が設定される。例えば、広角側の２４ｍｍに設定される。その後ステップＳ１１１へ進む。
［ステップＳ１０７］  ＣＣＰＵ１９から送信されたアパーチャーサイズ情報（倍率情報）を自身のメモリ内に記憶する。また、これ以前にアパーチャーサイズ情報（倍率情報）を自身のメモリ内に記憶していたならば、記憶内容を更新する。
［ステップＳ１０８（表示手段）］  自身のメモリ内に記憶されたアパーチャーサイズ情報を表示器７に表示する。ここでは、例えば、アパーチャーサイズ情報が１倍以外の場合は図２の１０２のようにアパーチャーサイズに応じたズーム動作を行っていることがわかる表示を行う（マーク点灯）。
［ステップＳ１０９］  自身のメモリ内に記憶されたカメラのアパーチャーサイズ情報と撮影レンズの焦点距離情報とに基づいて最適なストロボの照射角のポジションを選定する。ストロボの照射角のポジションを選定する方法の例として、ＦＰＵ９による以下の演算方法がある。
【００４１】
仮にストロボの照射角のポジションが７ポジション選択可能であって、「ポジション１」では"１３５サイズ"での２４ｍｍレンズの画角をカバーする照射角となり、「ポジション２」では"１３５サイズ"での２８ｍｍレンズの画角をカバーする照射角となり、「ポジション３」では"１３５サイズ"での３５ｍｍレンズの画角をカバーする照射角となり、「ポジション４」では"１３５サイズ"での５０ｍｍレンズの画角をカバーする照射角となり、「ポジション５」では"１３５サイズ"での７０ｍｍレンズの画角をカバーする照射角となり、「ポジション６」では"１３５サイズ"での８０ｍｍレンズの画角をカバーする照射角となり、「ポジション７」では"１３５サイズ"での１０５ｍｍレンズの画角をカバーする照射角となる場合に、基準アパーチャーサイズに応じた倍率とレンズの焦点距離の演算を行い、どの照射角のポジションを選択すれば良いかを決める。
【００４２】
これは、焦点距離×倍率の演算が１３５サイズのレンズ焦点距離の中間にきた場合、広角側を選択するようにする。
【００４３】
例えば、レンズの焦点距離が１３５サイズ基準で２４ｍｍが選択され、アパーチャーサイズ情報（倍率情報）が１．６倍の情報が送られると演算では３８．４となり、１３５サイズ基準の３５ｍｍと１３５サイズ基準の５０ｍｍのズーム位置の中間にくるが、このときは広角側の３５ｍｍを選択する。
【００４４】
このように演算に基づいて、アパーチャーサイズ情報（倍率情報）と撮影レンズの焦点距離情報とに基づいて最適なストロボの照射角のポジションを選定することができる。
【００４５】
このとき、決定したストロボ照射角に対応するガイドナンバーに応じて連動距離範囲の表示を図２の１０５のようにバー表示等で表示しても良い。
［ステップＳ１１０］  ストロボの照射角が上記ステップＳ１０９にて選定された照射角のポジションになるように照射角調整用モータ８を駆動する。
［ステップＳ１１１］  昇圧した電圧が発光素子５の発光に必要な電圧レベルにまで達したかどうかを判定し、発光素子５の発光に必要な電圧レベルにまで達していると判定した場合にはステップＳ１１２に進む。
【００４６】
上記ステップＳ１１１にて昇圧回路６が昇圧した電圧が発光素子５の発光に必要な電圧レベルにまで達していないと判定した場合には、ステップＳ１１８に進む。
［ステップＳ１１２］  充電完了信号を出力してストロボの発光準備ができたことをＣＣＰＵ１９に知らせる。
［ステップＳ１１３］  ＣＣＰＵ１９より発光開始用信号が出力されているかどうかをチェックし、発光開始用信号が出力されていなければステップＳ１０２に戻り、上述したステップを繰り返す。一方、発光開始用信号が出力されているならばステップＳ１１４へ進む。
［ステップＳ１１４］  不図示の発光開始用素子にトリガ信号を与えてストロボの発光を開始させる。
［ステップＳ１１５］  ＣＣＰＵ１９より発光停止用信号が出力されているかどうかをチェックし、発光停止用信号がまだ出力されていなければステップＳ１１６に進む。なお、上記ステップＳ１１５にて発光停止用信号を検出した場合は、ステップＳ１１７へ進む。
［ステップＳ１１６］  ストロボが最大発光量まで発光してしたかどうかをチェックし、ストロボが最大発光量まで発光していない場合にはステップＳ１１５に戻り、上述したステップを繰り返す。一方、ストロボが最大発光量まで発光した場合にはステップＳ１１７へ進む。
［ステップＳ１１７］  不図示の発光停止用素子にトリガ信号を与えてストロボの発光を停止する。この後ステップＳ１０２へ戻り、上述したステップを繰り返す。
［ステップＳ１１８］  充電中であることを示す充電信号を出力してストロボの発光準備ができていないことをＣＣＰＵ１９に知らせる。
【００４７】
この後、ステップＳ１０２へ戻り、上述したステップを繰り返す。
【００４８】
上記第１の実施形態によれば、カメラから入力した撮影レンズの焦点距離情報とカメラのアパーチャーサイズ情報とに基づいてストロボ光の照射角を最適値に設定する通常モードと、マスターストロボの指令に基づいて発光を制御するスレーブモードとが選択可能であり、スレーブモード時は通常モードを禁止してストロボ光を所定の照射角に設定することによって、マスターストロボをカメラから外してスレーブストロボとして使用する場合、前回の設定を解除できず、前回の照射角の設定が残って撮影者の意図する配光角に設定することができないという欠点を解消できる。
【００４９】
また、焦点距離と基準となるアパーチャーサイズとの倍率を示すカメラのアパーチャーサイズ情報をカメラからストロボ装置に送ることにより、ストロボ光の照射角の可変ステップ数が多くなっても、配光角に変換する演算が簡単にかつ高速に行われるため、従来のようなストロボ内の演算装置にて焦点距離と画像サイズから配光角に変換する過程が複雑になるといった欠点を改善することができる。
【００５０】
また、ストロボ光の照射角を焦点距離情報とアパーチャーサイズ情報とに基づいてステップ的に可変とすることにより、上記特許文献２のような複雑な機構を必要とせず、ストロボ光の照射角の可変制御を簡略化し、高速に作動させることができる。
【００５１】
また、焦点距離と倍率の乗算値が基準となる焦点距離範囲の中間にある場合、照射角を広角側に設定することにより、上記特許文献４のような通信不良以外の場合に実際の演算値よりストロボ光の照射角が広角側になり、配光不足を解消できるといった効果がある。
【００５２】
また、焦点距離情報を表示する表示器を備えることで、撮影レンズの実際の焦点距離と相違しないことを視認でき、使用者に混乱を与えるなどの事態を回避できる。
［第２の実施形態］
以下に説明する第２の実施形態は、節電モード時に基準となるアパーチャーサイズに対応した配光角になるように焦点距離情報のみに基づいてストロボ光の照射光の照射角を制御するように構成したものである。
【００５３】
上記節電モード（ＳＥモード）とは、所定時間経過後はいずれの操作機構を動作させなかったり、カメラとストロボ間で通信が行われなかった場合に電池の消耗を防ぐために必要最低限の消費電流になるようにマイコンで制御するもので、例えば定電圧回路を遮断したり、マイコンのクロック動作を停止する方法などがある。
【００５４】
図６において、図５のフローチャートと同じ動作をするステップには同じ番号を付して説明を省略する。
【００５５】
図６において、図５のフローチャートと異なる部分は、ステップＳ１２０をステップＳ１２２に置き換え、ステップＳ１２１をなくしたところである。
［ステップＳ１０６］  ＣＣＰＵ１９から通信ラインＳＣを介してカメラのアパーチャーサイズ情報（倍率情報）が送信されているかどうかをチェックする。カメラのアパーチャーサイズ情報（倍率情報）が送信されていれば、ステップＳ１２２へ進む。なお、上記ステップＳ１０６にてカメラの画面サイズ情報が送信されていなかった場合には、ステップＳ１２２での処理を行わずにステップＳ１０９へ進む。
［ステップＳ１２２（制御手段）］  ＦＰＵ９が節電モード（ＳＥモード）になっているかどうか判断し、節電モードになっていなかったならば、ステップＳ１０７へ進み、ＳＥモード中ならステップＳ１０９へ進む。
【００５６】
その後、ステップＳ１０７以降の処理を実行する。
【００５７】
なお、ステップＳ１０９の焦点距離演算の代わりに焦点距離情報と倍率情報の計算をあらかじめルックアップテーブルにすることにより、ストロボ照射角の可変ステップ数が少ない場合は、焦点距離と基準となるアパーチャーサイズとの倍率を示すカメラのアパーチャーサイズ情報をカメラからストロボ装置に送信させることで配光角に変換する演算をさらに簡略化することもできる。
【００５８】
つまり、ルックアップテーブルに基づいて、焦点距離情報とアパーチャーサイズ情報を用いた演算値が予め求められているので、例えば、ストロボ照射角の可変ステップ数が少ない場合に、配光角に変換する演算がさらに簡単にかつ高速に行われ、従来のようなストロボ内の演算装置にて焦点距離と画像サイズから配光角に変換する過程が複雑になるといった欠点を解消できる。
【００５９】
上記第２の実施形態によれば、節電モード時においても、上記第１の実施形態と同様の効果が得られる。
【００６０】
なお、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはCPUやMPU）が記憶媒体に格納されたプログラムコードを読み出し実行することによっても、達成されることは言うまでもない。
【００６１】
本発明を上記記憶媒体に適用する場合、その記憶媒体には、先に説明した図３〜図６の各フローチャートの処理を実行する制御プログラムや各種テーブルが格納されることになる。これらのプログラムコードは、例えば、アップデート可能なファームウェアとしても提供可能である。
【図面の簡単な説明】
【００６２】
【図１】本発明に係る実施形態として適用したカメラ及びカメラに装着されるストロボ装置の概略機構及び回路ブロックを示す図である。
【図２】図１のストロボ装置に搭載された表示器の表示例を示す図である。
【図３】本実施形態のカメラ制御動作を示すフローチャートである。
【図４】図３の続きの動作を示すフローチャートである。
【図５】第１の実施形態のストロボ制御動作を示すフローチャートである。
【図６】第２の実施形態のストロボ制御動作を示すフローチャートである。
【図７】スイッチ回路の詳細図である。
【図８】ワイヤレス多灯システムを説明する図である。
【符号の説明】
【００６３】
１  ストロボ装置
２  カメラ
３  レンズ
５  発光素子
８  照射角調整用モータ
７  表示器
９  ストロボ制御用マイクロコンピュータ
１９  カメラ制御用マイクロコンピュータ
２３  レンズ制御用マイクロコンピュータ
２４  スイッチ回路
【図１】
2005284096.tif 000003
【図２】
2005284096.tif 000004
【図３】
2005284096.tif 000005
【図４】
2005284096.tif 000006
【図５】
2005284096.tif 000007
【図６】
2005284096.tif 000008
【図７】
2005284096.tif 000009
【図８】
2005284096.tif 000010